(57)【要約】【課題】かな漢字変換機能を用いてテキスト文書を作成する際に、煩雑な操作を行うことなく、アプリケーションの起動結果をテキスト文書に組み込む。【解決手段】かな漢字変換部１１は、ユーザのキー操作に従ってデータを入力し、「変換」の指示を入力すると、日本語辞書ＤＢ１２６を検索して複数の候補を画面表示する。そして、かな漢字変換部１１は、候補が選択され「確定」の指示を入力すると、確定した候補が表示用データであるか、または制御用データであるかを判定し、候補が表示用データである場合、その表示用データをテキスト文書に組み込む。一方、候補が制御用データである場合、制御用データが示すアプリケーションを起動し、起動結果を取得してテキスト文書に組み込む。これにより、テキスト文書を格納する等の作成作業を一旦中断することなく、起動結果をテキスト文書に直接組み込むことができる。【選択図】図２
2011180795.tif 000002
【特許請求の範囲】
【請求項１】
ユーザの操作に従って入力したデータをかな漢字変換し、複数の候補を画面表示し、前記複数の候補のうちユーザにより選択された候補を確定し、テキスト文書を作成する携帯端末において、
前記入力したデータに対応するかな漢字変換の候補として、表示用データ、及びアプリケーションを特定するための情報を含む制御用データが格納された日本語辞書ＤＢと、
前記アプリケーションの処理を実行するアプリケーション部と、
前記入力したデータをキーにして前記日本語辞書ＤＢを検索し、前記データに対応する複数の候補を読み出して画面表示し、前記確定した候補が表示用データであると判定した場合、前記候補である表示用データを前記テキスト文書に組み込み、前記確定した候補が制御用データであると判定した場合、前記制御用データにより特定されるアプリケーションを起動して前記アプリケーション部に処理を実行させ、前記アプリケーション部により生成された結果を入力し、前記結果を前記テキスト文書に組み込むかな漢字変換部と、
を備えたことを特徴とする携帯端末。
【請求項２】
請求項１に記載の携帯端末において、
起動中のアプリケーションを管理する起動アプリケーション管理テーブルを備え、
前記かな漢字変換部は、前記確定した候補が制御用データであると判定した場合、前記制御用データにより特定されるアプリケーションが起動しているか否かを、前記起動アプリケーション管理テーブルを参照して判定し、前記アプリケーションが起動していないと判定した場合、前記アプリケーションを起動して前記アプリケーション部に処理を実行させ、前記アプリケーション部により生成された結果を入力して前記テキスト文書に組み込み、前記アプリケーションが起動していると判定した場合、前記アプリケーション部により生成された結果を入力して前記テキスト文書に組み込む、ことを特徴とする携帯端末。
【請求項３】
請求項１または２に記載の携帯端末において、
前記日本語辞書ＤＢには、カメラ撮影プログラムのアプリケーションを特定するための情報を含む制御用データが格納されており、
前記アプリケーション部は、前記カメラ撮影プログラムの処理を実行し、前記カメラ撮影により画像を生成し、
前記かな漢字変換部は、前記アプリケーション部により生成された画像を前記テキスト文書に組み込む、ことを特徴とする携帯端末。
【請求項４】
請求項１または２に記載の携帯端末において、
前記日本語辞書ＤＢには、ＧＰＳ測位プログラムのアプリケーションを特定するための情報を含む制御用データが格納されており、
前記アプリケーション部は、前記ＧＰＳ測位プログラムの処理を実行し、前記ＧＰＳ測位により当該携帯端末の現在地の位置情報を生成し、
前記かな漢字変換部は、前記アプリケーション部により生成された位置情報を前記テキスト文書に組み込む、ことを特徴とする携帯端末。
【請求項５】
ユーザの操作に従って入力したデータをかな漢字変換し、テキスト文書を作成する携帯端末によるかな漢字変換方法であって、
前記携帯端末が、前記ユーザの操作に従って入力したデータに対応して、表示用データ、及びアプリケーションを特定するための情報を含む制御用データがかな漢字変換の候補として格納された日本語辞書ＤＢを備え、
ユーザの操作に従ってデータを入力するステップと、
前記入力したデータをキーにして前記日本語辞書ＤＢを検索し、前記データに対応する複数の候補を読み出して画面表示するステップと、
前記ユーザの操作に従って、前記複数の候補のうち選択された候補を確定するステップと、
前記確定した候補が表示用データであるか、または制御用データであるかを判定するステップと、
前記確定した候補が表示用データであると判定した場合、前記候補である表示用データを前記テキスト文書に組み込むステップと、
前記確定した候補が制御用データであると判定した場合、前記制御用データにより特定されるアプリケーションを起動するステップと、
前記起動したアプリケーションにより生成された結果を入力するステップと、
前記入力した結果を前記テキスト文書に組み込むステップと、
を有することを特徴とするかな漢字変換方法。
【請求項６】
請求項５に記載のかな漢字変換方法であって、
前記確定した候補が制御用データであると判定した場合、前記制御用データに定義されたアプリケーションが起動しているか否かを判定するステップと、
前記アプリケーションが起動していないと判定した場合、前記アプリケーションを起動して処理を実行させ、前記処理の結果を入力するステップと、
前記アプリケーションが起動していると判定した場合、前記アプリケーションによる処理の結果を入力するステップと、
前記入力した結果を前記テキスト文書に組み込むステップと、
を有することを特徴とするかな漢字変換方法。
【請求項７】
コンピュータを、請求項１から４までのいずれか一項に記載の携帯端末として機能させるためのかな漢字変換プログラム。
【発明の詳細な説明】
【技術分野】
【０００１】
本発明は、かな漢字変換機能を有する携帯端末、かな漢字変換方法及びプログラムに関し、特に、かな漢字変換機能を用いてテキスト文書を作成する際に、所定のアプリケーションの起動結果を取得してテキスト文書に組み込む技術に関する。
【背景技術】
【０００２】
従来、携帯電話機等の携帯端末において、ユーザのキー操作によってテキスト文書を作成し、作成したテキスト文書に画像等を添付して電子メールにて送信する機能が知られている。携帯端末は、ユーザのキー操作に従ってテキスト文書を作成するにあたり、日本語辞書を用いたかな漢字変換を行う。このかな漢字変換は、ユーザが入力したデータをキーにして日本語辞書を検索し、そのデータに対応した複数の候補を日本語辞書から読み出して画面表示し、ユーザに選択を促し、複数の候補のうちの１つの候補が選択されたときに、その選択された候補をテキスト文書に組み込むものである。
【０００３】
このようなかな漢字変換は、ユーザによるキー操作の効率化及び迅速化を実現し、操作性を向上させるために、様々な機能が開発されている（例えば、特許文献１，２を参照）。特許文献１のかな漢字変換機能は、かな漢字変換の段階をユーザに認識させ、少ないキー操作にて所望の候補を選択させるものである。具体的には、携帯端末は、かな漢字変換のキー操作毎に候補を異なる色で表示し、１回目及び２回目のキー操作時には１個の候補を表示し、３回目のキー操作時には複数個の候補を一覧表示する。これにより、かな漢字変換の段階をユーザに認識させることができ、テキスト文書を作成する際の利便性を向上させることができる。
【０００４】
また、特許文献２のかな漢字変換機能は、ユーザにより入力されたかなデータに対し、同音語のかな漢字変換に加えて、類義語の変換及び熟語変換をも行うものである。具体的には、携帯端末は、かなデータに対応した個々の漢字データ毎に、かな漢字変換、類義語変換または熟語変換の許可または拒否を定める連結属性と、次の行き先ポインタとを備えた鎖状構造の日本語辞書を備え、ユーザにより入力されたかなデータ及びいずれかの変換キーの種類に基づいて、日本語辞書から次の行き先ポインタに対応した漢字データを読み出し、候補として表示する。これにより、類義語変換及び熟語変換に伴って候補となる対象が増えるから、ユーザは、様々に表現された複数の候補の中から適切な候補を選択することができ、自己の意図に沿ったテキスト文書を作成することができる。
【０００５】
ところで、従来の携帯電話機等の携帯端末には、カメラ機能、ＧＰＳ（Ｇｌｏｂａｌ  Ｐｏｓｉｔｉｏｎｉｎｇ  Ｓｙｓｔｅｍ）機能、歩数計機能、方位機能、スケジュール管理機能等の様々なアプリケーションが付加されているものが多い。例えば、ユーザは、携帯端末に付加されたカメラ機能を用いて所望の風景等を撮影することができる。撮影した風景等の画像はメモリに格納され、ユーザにより作成されたテキスト文書に添付され、電子メールにて送信される。また、ユーザは、携帯端末に付加されたＧＰＳ機能によって、携帯端末の現在地の位置情報を知ることができる。携帯端末は、この位置情報を利用することにより、例えば、位置情報と地図データとを組み合わせ、ユーザを目的地まで誘導させるナビゲーションのサービスを実現することができる。
【先行技術文献】
【特許文献】
【０００６】
【特許文献１】特開２００２−２９７５８０号公報
【特許文献２】特許第３０６７０４６号公報
【発明の概要】
【発明が解決しようとする課題】
【０００７】
このような携帯端末を用いて、ユーザは、かな漢字変換機能によりテキスト文書を作成している途中で、自らが所望する新たな画像を撮影し、作成中のテキスト文書に組み込みたいと考える場合がある。従来の携帯端末では、作成中のテキスト文書をメモリに格納してテキスト文書の作成処理を一旦中断する必要がある。そして、カメラ機能を起動してユーザが所望する風景等を撮影し、撮影した画像をメモリに格納する。そして、テキスト文書の作成を再開し、メモリからその画像を読み出してテキスト文書に添付し、電子メールにて送信する。つまり、従来の携帯端末では、テキスト文書を作成するためのかな漢字変換機能と、カメラ機能とが連携していないから、テキスト文書の作成を一旦中断する必要があり、ユーザによるキー操作が煩雑になっていた。
【０００８】
同様に、携帯端末の現在地の位置情報をテキスト文書に組み込むためにも、テキスト文書の作成を一旦中断する必要がある。ユーザは、テキスト文書の作成を中断して、起動しているＧＰＳ機能により現在地の位置情報を取得してメモリに格納するか、またはユーザがメモ書きをする。そして、テキスト文書の作成を再開したときに、メモリからその現在地の位置情報を読み出すか、またはメモ書きしたデータをキー操作にて入力する。このようにして、現在地の位置情報をテキスト文書に組み込む。つまり、従来の携帯端末では、テキスト文書を作成するためのかな漢字変換機能と、ＧＰＳ機能とが連携していないから、テキスト文書の作成を一旦中断する必要があり、ユーザによるキー操作が煩雑になっていた。
【０００９】
このように、テキスト文書を作成する際に用いるかな漢字変換機能と、カメラ機能、ＧＰＳ機能等のアプリケーションとはそれぞれ独立して実行される。したがって、従来の携帯端末では、アプリケーションを起動して取得した結果をテキスト文書に組み込むことが困難になり、テキスト文書を作成する際の利便性が良くないという問題があった。
【００１０】
そこで、本発明は、前記課題を解決するためになされたものであり、その目的は、かな漢字変換機能を用いてテキスト文書を作成しているときであっても、煩雑な操作を行うことなく、ユーザが所望するアプリケーションの起動結果を取得してテキスト文書に組み込むことが可能な携帯端末、かな漢字変換方法及びプログラムを提供することにある。
【課題を解決するための手段】
【００１１】
前記課題を解決するため、本発明による携帯端末は、ユーザの操作に従って入力したデータをかな漢字変換し、複数の候補を画面表示し、前記複数の候補のうちユーザにより選択された候補を確定し、テキスト文書を作成する携帯端末において、前記入力したデータに対応するかな漢字変換の候補として、表示用データ、及びアプリケーションを特定するための情報を含む制御用データが格納された日本語辞書ＤＢと、前記アプリケーションの処理を実行するアプリケーション部と、前記入力したデータをキーにして前記日本語辞書ＤＢを検索し、前記データに対応する複数の候補を読み出して画面表示し、前記確定した候補が表示用データであると判定した場合、前記候補である表示用データを前記テキスト文書に組み込み、前記確定した候補が制御用データであると判定した場合、前記制御用データにより特定されるアプリケーションを起動して前記アプリケーション部に処理を実行させ、前記アプリケーション部により生成された結果を入力し、前記結果を前記テキスト文書に組み込むかな漢字変換部と、を備えたことを特徴とする。
【００１２】
また、本発明による携帯端末は、起動中のアプリケーションを管理する起動アプリケーション管理テーブルを備え、前記かな漢字変換部が、前記確定した候補が制御用データであると判定した場合、前記制御用データにより特定されるアプリケーションが起動しているか否かを、前記起動アプリケーション管理テーブルを参照して判定し、前記アプリケーションが起動していないと判定した場合、前記アプリケーションを起動して前記アプリケーション部に処理を実行させ、前記アプリケーション部により生成された結果を入力して前記テキスト文書に組み込み、前記アプリケーションが起動していると判定した場合、前記アプリケーション部により生成された結果を入力して前記テキスト文書に組み込む、ことを特徴とする。
【００１３】
また、本発明による携帯端末は、前記日本語辞書ＤＢに、カメラ撮影プログラムのアプリケーションを特定するための情報を含む制御用データが格納されており、前記アプリケーション部が、前記カメラ撮影プログラムの処理を実行し、前記カメラ撮影により画像を生成し、前記かな漢字変換部が、前記アプリケーション部により生成された画像を前記テキスト文書に組み込む、ことを特徴とする。
【００１４】
また、本発明による携帯端末は、前記日本語辞書ＤＢに、ＧＰＳ測位プログラムのアプリケーションを特定するための情報を含む制御用データが格納されており、前記アプリケーション部が、前記ＧＰＳ測位プログラムの処理を実行し、前記ＧＰＳ測位により当該携帯端末の現在地の位置情報を生成し、前記かな漢字変換部が、前記アプリケーション部により生成された位置情報を前記テキスト文書に組み込む、ことを特徴とする。
【００１５】
さらに、本発明によるかな漢字変換方法は、ユーザの操作に従って入力したデータをかな漢字変換し、テキスト文書を作成する携帯端末によるかな漢字変換方法であって、前記携帯端末が、前記ユーザの操作に従って入力したデータに対応して、表示用データ、及びアプリケーションを特定するための情報を含む制御用データがかな漢字変換の候補として格納された日本語辞書ＤＢを備え、ユーザの操作に従ってデータを入力するステップと、前記入力したデータをキーにして前記日本語辞書ＤＢを検索し、前記データに対応する複数の候補を読み出して画面表示するステップと、前記ユーザの操作に従って、前記複数の候補のうち選択された候補を確定するステップと、前記確定した候補が表示用データであるか、または制御用データであるかを判定するステップと、前記確定した候補が表示用データであると判定した場合、前記候補である表示用データを前記テキスト文書に組み込むステップと、前記確定した候補が制御用データであると判定した場合、前記制御用データにより特定されるアプリケーションを起動するステップと、前記起動したアプリケーションにより生成された結果を入力するステップと、前記入力した結果を前記テキスト文書に組み込むステップと、を有することを特徴とする。
【００１６】
また、本発明によるかな漢字変換方法は、前記確定した候補が制御用データであると判定した場合、前記制御用データに定義されたアプリケーションが起動しているか否かを判定するステップと、前記アプリケーションが起動していないと判定した場合、前記アプリケーションを起動して処理を実行させ、前記処理の結果を入力するステップと、前記アプリケーションが起動していると判定した場合、前記アプリケーションによる処理の結果を入力するステップと、前記入力した結果を前記テキスト文書に組み込むステップと、を有することを特徴とする。
【００１７】
さらに、本発明によるかな漢字変換プログラムは、コンピュータを、前記携帯端末として機能させることを特徴とする。
【発明の効果】
【００１８】
以上のように、本発明によれば、かな漢字変換機能を用いてテキスト文書を作成しているときであっても、ユーザが所望するアプリケーションの起動結果をテキスト文書に組み込むことができる。したがって、作成中のテキスト文書をメモリに格納する等の、テキスト文書の作成を一旦中断する必要がないから、煩雑な操作を回避することができる。
【図面の簡単な説明】
【００１９】
【図１】本発明の実施形態による携帯端末のハードウェア構成を示す図である。
【図２】実施例１による携帯端末の機能構成を示すブロック図である。
【図３】実施例１の表示画面を説明する図である。
【図４】実施例２による携帯端末の機能構成を示すブロック図である。
【図５】実施例２の表示画面を説明する図である。
【図６】かな漢字変換部の構成を示すブロック図である。
【図７】かな漢字変換部の処理を示すフローチャートである。
【発明を実施するための形態】
【００２０】
以下、本発明を実施するための形態について図面を用いて詳細に説明する。
〔携帯端末のハードウェア構成〕
まず、本発明の実施形態による携帯端末について説明する。図１は、携帯端末のハードウェア構成を示す図である。この携帯端末１は例えば携帯電話機であり、ハード構成としては、通常のコンピュータを使用することができる。携帯端末１は、ＣＰＵ１０１と、各種のプログラム及びデータを記憶するＲＯＭ及びＲＡＭからなる記憶部１０２と、各種のプログラム及びデータ等を記憶する記憶装置（ハードディスク装置）１０３と、電話網のネットワークを介して電話通信及びデータ通信を行う通信部１０４と、携帯端末１に付加されたカメラにより撮影が行われ、ユーザが所望する画像を取得するカメラ撮影部１０５と、ＧＰＳ衛星との間の通信により携帯端末１の現在地を測位し、その位置情報（緯度及び経度）を取得するＧＰＳ測位部１０６と、キーボタンまたはタッチパネルへのユーザの操作に伴って、データを入力制御するキー操作部１０７と、ユーザにキー操作等を促し、キー操作により入力されたデータを表示し、画像、テキスト文書等を表示する表示部１０８と、充電可能な電池を備え、携帯端末１として機能させるための電源を供給する電源部１０９とを備えて構成され、これらの構成要素はシステムバス１１０を介して相互に接続される。
【００２１】
記憶部１０２には、携帯端末１の基本的な機能を提供するための携帯ＯＳ（オペレーティングシステム）１２０、キー操作部１０７を介してユーザのキー操作により入力されたデータをかな漢字変換するかな漢字変換プログラム１２１、テキスト文書をＨＴＭＬ（ＨｙｐｅｒＴｅｘｔ  Ｍａｒｋｕｐ  Ｌａｎｇｕａｇｅ）文書に変換するＨＴＭＬ変換プログラム１２２、カメラ撮影部１０５にてカメラによる撮影が行われ、画像を取得するカメラ撮影プログラム１２３、ＧＰＳ測位部１０６にて携帯端末１の現在地の位置情報を取得するＧＰＳ測位プログラム１２４等が記憶されている。
【００２２】
尚、これらのプログラムは、記憶装置１０３にも記憶されており（図示せず）、携帯端末１が処理を行うときに、ＣＰＵ１０１により記憶装置１０３から記憶部１０２のＲＡＭに読み出される。図１には、これらのプログラムが記憶装置１０３から記憶部１０２に読み出された状態が示されている。これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することができ、電話網のネットワークに接続された外部のサーバから通信部１０４を介して記憶装置１０３にダウンロードすることができる。
【００２３】
携帯ＯＳ１２０は、ＣＰＵ１０１に実行されることにより、携帯端末１の基本的な機能として、記憶部１０２、記憶装置１０３、通信部１０４、カメラ撮影部１０５、ＧＰＳ測位部１０６、キー操作部１０７、表示部１０８及び電源部１０９を管理する。そして、この携帯ＯＳ１２０がＣＰＵ１０１によって実行された状態で、かな漢字変換プログラム１２１、ＨＴＭＬ変換プログラム１２２、カメラ撮影プログラム１２３、ＧＰＳ測位プログラム１２４等が実行される。
【００２４】
かな漢字変換プログラム１２１は、キー操作部１０７を介してユーザのキー操作により入力されたデータを、後述する日本語辞書ＤＢ１２６を用いてかな漢字変換し、複数の候補を表示部１０８に出力し、画面表示する。そして、キー操作部１０７を介してユーザのキー操作により候補が選択されると、選択された候補が表示用データであるか、または制御用データであるかを判定し、表示用データである場合、その表示用データをテキスト文書にそのまま組み込む。一方、選択された候補が制御用データである場合、その制御用データに応じて、カメラ撮影プログラム１２３、ＧＰＳ測位プログラム１２４等のアプリケーションを起動し、アプリケーションの起動結果（カメラにより撮影された画像、現在地の位置情報等）を取得してテキスト文書に組み込む。この場合、既にそのアプリケーションが起動しているときは、アプリケーションの起動結果を取得してテキスト文書に組み込む。日本語辞書ＤＢ１２６を用いたかな漢字変換処理及びアプリケーションの起動結果の取得処理の詳細については後述する。
【００２５】
記憶装置１０３には、かな漢字変換するための候補がＤＢ（データベース）として格納された日本語辞書ＤＢ１２６と、カメラ撮影プログラム１２３の処理によりカメラ撮影部１０５にて撮影された画像、及び通信部１０４を介して受信した画像がＤＢとして格納された画像ＤＢ１２７等が記憶されている。画像には、写真等の静止画像及び動画像が含まれる。また、前述のとおり、記憶装置１０３には各種のプログラム（図示せず）も格納されている。
【００２６】
制御部１３０は、ＣＰＵ１０１及び記憶部１０２により構成され、ＣＰＵ１０１が記憶装置１０３から記憶部１０２に各種のプログラムを読み出して実行することにより、携帯端末１全体を統括制御する。このように、携帯端末１は、図１に示したハードウェア構成の下で、制御部１３０が、かな漢字変換プログラム１２１、ＨＴＭＬ変換プログラム１２２、カメラ撮影プログラム１２３及びＧＰＳ測位プログラム１２４等を実行することにより、各種の処理が実現される。
【００２７】
以下、本発明の実施形態による携帯端末１のかな漢字変換処理について、電子メールの文書を作成する例を挙げて説明する。実施例１は、カメラ撮影プログラム１２３を起動して画像を取得するための制御用データを含む日本語辞書ＤＢ１２６を備えており、テキスト文書を作成しているときに、ユーザのキー操作により、かな漢字変換された複数の候補からその制御用データが選択され、カメラ撮影プログラム１２３を起動し、撮影した画像を起動結果として取得し、テキスト文書に組み込み、電子メールにて送信するものである。実施例２は、ＧＰＳ測位プログラム１２４の起動結果である携帯端末１の現在地の位置情報を取得するための制御用データを含む日本語辞書ＤＢ１２６を備えており、テキスト文書を作成しているときに、ユーザのキー操作により、かな漢字変換された複数の候補からその制御用データが選択され、既に起動しているＧＰＳ測位プログラム１２４により携帯端末１の現在地の位置情報を起動結果として取得し、テキスト文書に組み込み、電子メールにて送信するものである。
【００２８】
従来は、テキスト文書を作成しているときに、新たな画像または現在地の位置情報をテキスト文書に反映する場合、テキスト文書をメモリに格納する等してその作成を一旦中断し、アプリケーションを起動して画像等を取得した後に、テキスト文書の作成を再開し、取得した画像等を読み込む必要があった。実施例１，２によれば、テキスト文書の作成を中断する手間を省くことができ、ユーザの所望するデータを、かな漢字変換操作の際に取得することができるから、煩雑な操作を行うことなく容易にテキスト文書に組み込むことができる。
【００２９】
〔実施例１〕
まず、実施例１について詳細に説明する。実施例１は、前述のとおり、かな漢字変換された複数の候補から制御用データがユーザにより選択され、カメラ撮影プログラム１２３を起動して画像を取得し、その画像をテキスト文書に組み込み電子メールにて送信するものである。
【００３０】
（携帯端末１の構成／実施例１）
図２は、実施例１による携帯端末１の機能構成を示すブロック図であり、図１に示した制御部１３０がかな漢字変換プログラム１２１、ＨＴＭＬ変換プログラム１２２及びカメラ撮影プログラム１２３により各種処理を実行する際の機能構成を示している。この携帯端末１は、かな漢字変換部１１、ＨＴＭＬ変換部１２及びカメラ撮影ＡＰ部１３を備えた制御部１３０と、日本語辞書ＤＢ１２６及び画像ＤＢ１２７を備えた記憶装置１０３と、キー操作部１０７と、通信部１０４とを備えている。携帯端末１は、ユーザのキー操作に従って、電子メールにて送信するテキスト文書を作成する。
【００３１】
制御部１３０のかな漢字変換部１１は、ユーザのキー操作に従って、キー操作部１０７を介してデータを入力し、「変換」の指示を入力すると、そのデータをキーにして日本語辞書ＤＢ１２６を検索し、そのデータに対応した複数の候補を日本語辞書ＤＢ１２６から読み出して画面表示する。そして、かな漢字変換部１１は、ユーザのキー操作に従って候補が選択され、「確定」の指示を入力すると、確定した候補の種類に応じて、候補のデータをテキスト文書にそのまま組み込むか、または、候補が示すアプリケーション（カメラ撮影プログラム１２３）を起動し、ユーザにより撮影された画像を結果として取得し、その画像をテキスト文書に組み込む。かな漢字変換部１１は、カメラ撮影プログラム１２３を起動する場合、その起動に伴って、起動の指示をカメラ撮影ＡＰ部１３に出力し、ユーザに画像を撮影させ、起動結果である画像を入力する。また、かな漢字変換部１１は、ユーザのキー操作に従って、テキスト文書の作成終了の指示を入力すると、作成したテキスト文書をＨＴＭＬ変換部１２に出力する。
【００３２】
カメラ撮影ＡＰ部１３は、かな漢字変換部１１から起動の指示を入力すると、キー操作部１０７及び表示部１０８にて、ユーザに対してカメラ撮影の操作を促し、ユーザにより撮影された画像を記憶装置１０３の画像ＤＢ１２７に格納すると共に、結果としてかな漢字変換部１１に出力する。
【００３３】
ＨＴＭＬ変換部１２は、かな漢字変換部１１から、作成が終了したテキスト文書を入力し、画像が組み込まれたテキスト文書をＨＴＭＬ文書に変換し、ＨＴＭＬ文書及び画像を通信部１０４に出力する。この場合、テキスト文書に組み込まれた画像は、その画像が組み込まれた位置において、ＨＴＭＬのｉｍｇ要素を用いて、ｓｒｃ属性として画像の所在であるファイル名を定義することにより変換される。例えば、ＨＴＭＬ変換部１２は、テキスト文書に組み込まれている画像のファイル名「０１．ｇｉｆ」を生成し、その画像が組み込まれた位置において、その画像をＨＴＭＬの要素＜ＩＭＧ  ＳＲＣ＝“０１．ｇｉｆ”＞に変換する。そして、ＨＴＭＬ変換部１２は、変換したＨＴＭＬ文書及びファイル名「０１．ｇｉｆ」の画像を通信部１０４に出力する。
【００３４】
通信部１０４は、ＨＴＭＬ変換部１２からＨＴＭＬ文書及び画像を入力し、ユーザのキー操作による送信の指示により、ＨＴＭＬ文書及び画像を電子メールにて送信する。
【００３５】
（表示画面／実施例１）
図３は、実施例１の表示画面を説明する図である。ユーザが、携帯端末１を操作して電子メールにて送信するテキスト文書の作成を行っている際に、そのテキスト文書の所望箇所に、新たにカメラ撮影する画像を組み込むとき、以下のキー操作及び画面表示が行われる。つまり、ユーザは、テキスト文書を作成しながらカメラ撮影を行うことができ、ユーザにより撮影された画像は、テキスト文書の所望箇所に直接組み込まれる。
【００３６】
図３を参照して、携帯端末１において、ユーザがテキスト文書を作成しているときに、これからカメラ撮影する画像をテキスト文書の所望箇所に組み込む場合、画像を組み込みたい箇所にカーソルを移動させ、キー操作により「かめら」の文字を入力する。制御部１３０のかな漢字変換部１１は、キー操作部１０７を介して「かめら」を入力し、「かめら」を表示部１０８に表示する（ａ）。そして、かな漢字変換部１１は、ユーザのキー操作による「変換」の指示を入力すると、その「かめら」の文字をキーにして日本語辞書ＤＢ１２６を検索し、「かめら」の文字に対応した複数の候補を日本語辞書ＤＢ１２６から読み出し、候補リストとして画面表示する（ｂ）。
【００３７】
ここで、日本語辞書ＤＢ１２６には、「かめら」の文字に対応して、４個の候補「カメラ」「ＫＡＭＥＲＡ」「（カメラの絵文字）」「<画像／カメラ起動>」が格納されているものとする。日本語辞書ＤＢ１２６に格納された候補は、表示用データと制御用データとの２種類に区別される。表示用データは、テキスト文書にそのまま組み込まれるデータである。制御用データは、所定のアプリケーションを起動して結果を取得し、その結果をテキスト文書に組み込む一連の処理を行うことを示すデータ、または、所定のアプリケーションが既に起動している場合は、そのアプリケーションから取得した結果をテキスト文書に組み込む一連の処理を行うことを示すデータである。制御用データは、半角の「<」、アプリケーションを識別するためのデータ、及び半角の「>」により構成される。この例では、「カメラ」「ＫＡＭＥＲＡ」「（カメラの絵文字）」が表示用データであり、「<画像／カメラ起動>」が制御用データである。
【００３８】
図３（ｂ）の画面表示において、後述するキー操作によって、「カメラ」「ＫＡＭＥＲＡ」または「（カメラの絵文字）」が確定すると、確定した表示用データがテキスト文書にそのままの形態で組み込まれる。一方、「<画像／カメラ起動>」が確定すると、カメラ撮影プログラム１２３の起動によって撮影された画像がテキスト文書に組み込まれる。
【００３９】
ユーザが複数の候補の中から「４．<画像／カメラ起動>」を選択し、「確定」のキー操作を行うと、かな漢字変換部１１は、「<画像／カメラ起動>」の「確定」の指示を入力する（ｃ）。かな漢字変換部１１は、確定した候補の種類に応じて、候補が表示用データであるか、または制御用データであるかを判定する。かな漢字変換部１１は、「<」及び「>」により制御用データであると判定すると、「<画像／カメラ起動>」のアプリケーションであるカメラ撮影プログラム１２３を起動し、カメラ撮影ＡＰ部１３によってユーザにカメラ撮影させる（ｄ）。
【００４０】
ここで、かな漢字変換部１１は、日本語辞書ＤＢ１２６に格納された制御用データ毎にアプリケーションが定義されたアプリケーション定義テーブルを備えている。例えば、「<画像／カメラ起動>」の制御用データに対し、そのアプリケーションであるカメラ撮影プログラム１２３が定義されている。また、後述する「<現在位置／ＧＰＳ>」の制御用データに対し、そのアプリケーションであるＧＰＳ測位プログラム１２４が定義されている。かな漢字変換部１１は、確定した候補の種類が制御用データであると判定すると、このアプリケーション定義テーブルを参照してアプリケーションを特定し、そのアプリケーションを起動する。尚、読み出したアプリケーションが既に起動している場合は、起動する必要はない。
【００４１】
ユーザが撮影を終了すると、カメラ撮影ＡＰ部１３は、撮影した画像を記憶装置１０３の画像ＤＢ１２７に格納し、かな漢字変換部１１にその画像を結果として出力する。かな漢字変換部１１は、撮影された画像（結果）を入力し、テキスト文書内の所定のカーソル位置にその画像を組み込み、画面表示する（ｅ）。
【００４２】
以上のように、実施例１による携帯端末１によれば、かな漢字変換部１１が、ユーザによるテキスト文書の作成に際し、ユーザのキー操作に従ってデータを入力し、そのデータをキーにして日本語辞書ＤＢ１２６を検索し、そのデータに対応した複数の候補を日本語辞書ＤＢ１２６から読み出して画面表示し、ユーザのキー操作に従って候補が確定すると、確定した候補が表示用データの場合、その候補をテキスト文書にそのまま組み込み、確定した候補が制御用データの場合、その候補が示すアプリケーション（カメラ撮影プログラム１２３）を起動し、ユーザにより撮影された画像をカメラ撮影ＡＰ部１３から結果として取得し、その画像をテキスト文書に組み込むようにした。
【００４３】
これにより、かな漢字変換機能とカメラ撮影機能とを連携させるようにしたから、携帯端末１は、ユーザにより新たに撮影される画像をテキスト文書に組み込む際に、かな漢字変換のキー操作に従ってカメラ撮影プログラム１２３を起動することができる。したがって、携帯端末１はテキスト文書の作成処理を一旦中断することなく、かつ、ユーザは煩雑なキー操作を行うことなく、新たな画像をテキスト文書の所定箇所に容易に組み込むことができ、利便性を向上させることができる。
【００４４】
〔実施例２〕
次に、実施例２について詳細に説明する。実施例２は、前述のとおり、かな漢字変換された複数の候補から制御用データがユーザにより選択され、既に起動しているＧＰＳ測位プログラム１２４によって現在地の位置情報を取得し、その位置情報をテキスト文書に組み込み電子メールにて送信するものである。
【００４５】
（携帯端末１の構成／実施例２）
図４は、実施例２による携帯端末１の機能構成を示すブロック図であり、図１に示した制御部１３０がかな漢字変換プログラム１２１、ＨＴＭＬ変換プログラム１２２及びＧＰＳ測位プログラム１２４により各種処理を実行する際の機能構成を示している。この携帯端末１は、かな漢字変換部１１、ＨＴＭＬ変換部１２、ＧＰＳ測位ＡＰ部１４及び位置情報記憶部１５を備えた制御部１３０と、日本語辞書ＤＢ１２６を備えた記憶装置１０３と、キー操作部１０７と、通信部１０４とを備えている。携帯端末１は、実施例１と同様に、電子メールにて送信するテキスト文書を作成する。尚、ＧＰＳ測位プログラム１２４は、既に起動しているものとする。
【００４６】
制御部１３０のＧＰＳ測位ＡＰ部１４は、ＧＰＳ測位プログラム１２４の起動に伴って、ＧＰＳ衛星との間の通信により携帯端末１の現在地を測位し、その位置情報を取得して位置情報記憶部１５に格納する。ここで、ＧＰＳ測位ＡＰ部１４は、所定周期毎に位置情報を取得して格納してもよいし、携帯端末１が移動し、携帯端末１の現在地の位置情報が所定値以上変化したときに、位置情報を格納するようにしてもよい。これにより、位置情報記憶部１５には、携帯端末１の現在地の位置情報が常に最新の情報として格納されることになり、その位置情報は、かな漢字変換部１１により読み出される。
【００４７】
かな漢字変換部１１は、実施例１と同様に、ユーザのキー操作に従って、キー操作部１０７を介してデータを入力し、日本語辞書ＤＢ１２６を検索し、そのデータに対応した複数の候補を日本語辞書ＤＢ１２６から読み出して画面表示する。そして、かな漢字変換部１１は、ユーザのキー操作により確定した候補の種類に応じて、候補のデータをテキスト文書に組み込むか、または、候補が示す既に起動しているアプリケーション（ＧＰＳ測位プログラム１２４）によって取得された位置情報を位置情報記憶部１５から読み出し、その位置情報をテキスト文書に組み込む。また、かな漢字変換部１１は、実施例１と同様に、ユーザのキー操作に従って、テキスト文書の作成終了の指示を入力すると、作成したテキスト文書をＨＴＭＬ変換部１２に出力する。
【００４８】
ＨＴＭＬ変換部１２は、実施例１と同様に、かな漢字変換部１１から、作成が終了したテキスト文書を入力し、テキスト文書をＨＴＭＬ文書に変換し、ＨＴＭＬ文書を通信部１０４に出力する。
【００４９】
通信部１０４は、ＨＴＭＬ変換部１２からＨＴＭＬ文書を入力し、ユーザのキー操作による送信の指示により、ＨＴＭＬ文書を電子メールにて送信する。
【００５０】
（表示画面／実施例２）
図５は、実施例２の表示画面を説明する図である。ユーザが、携帯端末１を操作して電子メールにて送信するテキスト文書の作成を行っている際に、そのテキスト文書の所望箇所に、ユーザ（携帯端末１）が所在している現在地の位置情報を組み込むとき、以下のキー操作及び画面表示が行われる。つまり、ユーザは、テキスト文書を作成しながら、ユーザが所在する現在地の位置情報を取得することができ、その位置情報は、テキスト文書の所望箇所に組み込まれる。
【００５１】
図５を参照して、携帯端末１において、ユーザがテキスト文書を作成している途中で、ユーザが所在している現在地の位置情報をテキスト文書の所望箇所に組み込む場合、位置情報を組み込みたい箇所にカーソルを移動させ、キー操作により「いち」の文字を入力する。制御部１３０のかな漢字変換部１１は、キー操作部１０７を介して「いち」を入力し、「いち」を表示部１０８に表示する（ａ）。そして、かな漢字変換部１１は、ユーザのキー操作による「変換」の指示を入力すると、その「いち」の文字をキーにして日本語辞書ＤＢ１２６を検索し、「いち」の文字に対応した複数の候補を日本語辞書ＤＢ１２６から読み出し、候補リストとして画面表示する（ｂ）。
【００５２】
ここで、日本語辞書ＤＢ１２６には、「いち」の文字に対応して、５個の候補「一」「位置」「１」「市」「<現在位置／ＧＰＳ>」が格納されている。日本語辞書ＤＢ１２６に格納された候補は、前述のとおり、表示用データと制御用データとの２種類に区別される。この例では、「一」「位置」「１」「市」が表示用データであり、「<現在位置／ＧＰＳ>」が制御用データである。
【００５３】
図３（ｂ）の画面表示において、後述するキー操作によって、「一」「位置」「１」または「市」が確定すると、確定した表示用データがテキスト文書にそのままの形態で組み込まれる。一方、「<現在位置／ＧＰＳ>」が確定すると、ＧＰＳ測位プログラム１２４により取得された位置情報がテキスト文書に組み込まれる。
【００５４】
ユーザが複数の候補の中から「５．<現在位置／ＧＰＳ>」を選択し、「確定」のキー操作を行うと、かな漢字変換部１１は、「<現在位置／ＧＰＳ>」の「確定」の指示を入力する（ｃ）。かな漢字変換部１１は、確定した候補の種類に応じて、候補が表示用データであるか、または制御用データであるかを判定する。かな漢字変換部１１は、「<」及び「>」により制御用データであると判定すると、「<現在位置／ＧＰＳ>」のアプリケーションであるＧＰＳ測位プログラム１２４により取得された位置情報を位置情報記憶部１５から読み出し、位置情報と住所との対応が定義された住所テーブルを参照し、位置情報である緯度及び経度を住所に変換し、テキスト文書内の所定のカーソル位置にその住所「東京都港区赤坂９丁目付近」を組み込み、画面表示する（ｄ）。
【００５５】
ここで、かな漢字変換部１１は、前述のとおり、日本語辞書ＤＢ１２６に格納された制御用データ毎にアプリケーションが定義されたアプリケーション定義テーブルを備えている。アプリケーション定義テーブルには、「<現在位置／ＧＰＳ>」の制御用データに対し、ＧＰＳ測位プログラム１２４が定義されている。かな漢字変換部１１は、確定した候補の種類が制御用データであると判定し、このアプリケーション定義テーブルを参照してアプリケーション（ＧＰＳ測位プログラム１２４）を特定する。そして、かな漢字変換部１１は、制御部１３０が管理している起動中のアプリケーションのリスト（起動アプリケーション管理テーブル）を参照し、ＧＰＳ測位プログラム１２４が含まれていることを確認し、ＧＰＳ測位プログラム１２４は既に起動していると判定して、位置情報記憶部１５から位置情報を直接読み出す。尚、かな漢字変換部１１は、起動アプリケーションリスト管理テーブルにＧＰＳ測位プログラム１２４が含まれていない場合、ＧＰＳ測位プログラム１２４を起動し、その起動結果である位置情報をＧＰＳ測位ＡＰ部１４から入力する。
【００５６】
以上のように、実施例２による携帯端末１によれば、かな漢字変換部１１が、ユーザによるテキスト文書の作成に際し、ユーザのキー操作に従って、日本語辞書ＤＢ１２６を検索して複数の候補を画面表示し、候補が確定すると、確定した候補が制御用データであって、その候補が示すアプリケーション（ＧＰＳ測位プログラム１２４）が既に起動している場合、ＧＰＳ測位プログラム１２４により取得された結果である位置情報を位置情報記憶部１５から直接読み出し、その位置情報をテキスト文書に組み込むようにした。
【００５７】
これにより、かな漢字変換機能とＧＰＳ機能とを連携させるようにしたから、携帯端末１は、ユーザにより自らの現在地の位置情報をテキスト文書に組み込む際に、かな漢字変換のキー操作に従って、既に取得された位置情報を読み出すことができる。したがって、携帯端末１はテキスト文書の作成処理を一旦中断することなく、かつ、ユーザは煩雑なキー操作を行うことなく、ユーザの現在地の位置情報を、テキスト文書の所定箇所に容易に組み込むことができ、利便性を向上させることができる。
【００５８】
〔かな漢字変換部の構成〕
次に、図２に示した実施例１及び図４に示した実施例２におけるかな漢字変換部１１の構成について詳細に説明する。図６は、かな漢字変換部１１の構成を示すブロック図である。このかな漢字変換部１１は、かな漢字変換手段１６、表示データ取得手段１７及びテキスト文書作成手段１８を備えている。
【００５９】
かな漢字変換部１１のかな漢字変換手段１６は、ユーザによるキー操作に従って、キー操作部１０７を介してデータを入力し、日本語辞書ＤＢ１２６を検索して複数の候補を日本語辞書ＤＢ１２６から読み出して画面表示する。そして、かな漢字変換手段１６は、ユーザのキー操作に従って候補を確定し、確定候補を表示データ取得手段１７に出力する。
【００６０】
表示データ取得手段１７は、かな漢字変換手段１６から確定候補を入力し、確定候補が表示用データであるか、または制御用データであるかを判定する。表示データ取得手段１７は、確定候補が表示用データであると判定した場合、その確定候補である表示用データをテキスト文書作成手段１８に出力する。一方、表示データ取得手段１７は、確定候補が制御用データであると判定した場合、アプリケーション定義テーブルを参照してその確定候補である制御用データからアプリケーションを特定し、前述した起動アプリケーション管理テーブルを参照してそのアプリケーションが起動中であるか否かを判定する。表示データ取得手段１７は、特定したアプリケーションが起動中であると判定した場合、そのアプリケーションを起動するための指示を出力する。これにより、実施例１では、カメラ撮影プログラム１２３が起動し、カメラ撮影ＡＰ部１３にユーザによるカメラ撮影を行わせる。一方、表示データ取得手段１７は、特定したアプリケーションが起動中であると判定した場合、実施例２に示したように、そのアプリケーションを起動する必要はない。
【００６１】
表示データ取得手段１７は、アプリケーションを起動した結果を入力するか、または、既に起動しているアプリケーションにより取得された結果を入力する。そして、表示データ取得手段１７は、その結果をテキスト文書作成手段１８に出力する。
【００６２】
テキスト文書作成手段１８は、表示データ取得手段１７から確定候補である表示用データ、または、アプリケーションにより取得された結果を入力し、テキスト文書内の所定のカーソル位置（ユーザにより指定された位置）に表示用データまたは結果を組み込む。テキスト文書作成手段１８は、ユーザのキー操作に従ってテキスト文書の作成終了の指示を入力すると、作成したテキスト文書をＨＴＭＬ変換部１２に出力する。
【００６３】
〔かな漢字変換部の処理〕
次に、図２に示した実施例１及び図４に示した実施例２におけるかな漢字変換部１１の処理について詳細に説明する。図７は、かな漢字変換部１１の処理を示すフローチャートである。
【００６４】
かな漢字変換部１１のかな漢字変換手段１６は、ユーザによるキー操作に従い、文字データを入力して画面表示し（ステップＳ１）、変換操作により変換の指示を入力すると（ステップＳ２）、日本語辞書ＤＢ１２６を検索して複数の候補からなる候補リストを画面表示し（ステップＳ３）、候補が選択され確定操作により確定の指示を入力すると、複数の候補のうちの１個の候補を確定する（ステップＳ４）。かな漢字変換手段１６により確定された候補（確定候補）は、表示データ取得手段１７に出力される。
【００６５】
表示データ取得手段１７は、確定候補が表示用データであるか、または制御用データであるかを判定する（ステップＳ５）。具体的には、表示データ取得手段１７は、確定候補を構成する文字の最初が半角の「<」であり、かつ、最後が半角の「>」である場合、確定候補が制御用データであると判定する。それ以外の場合は、確定候補が表示用データであると判定する。前述のとおり、制御用データは、半角の「<」、アプリケーションを識別するためのデータ、及び半角の「>」により構成されているからである。
【００６６】
表示データ取得手段１７が、ステップＳ５において、確定候補が表示用データであると判定した場合（ステップＳ５：表示用データ）、テキスト文書作成手段１８は、その表示用データをテキスト文書内の所定のカーソル位置にそのまま組み込む（ステップＳ６）。そして、ステップＳ１４へ移行する。
【００６７】
一方、表示データ取得手段１７は、ステップＳ５において、確定候補が制御用データであると判定した場合（ステップＳ５：制御用データ）、確定候補が示すアプリケーションを特定する。具体的には、表示データ取得手段１７は、確定候補である制御用データに対応するアプリケーションのプログラム名を、アプリケーション定義テーブルから取得し、アプリケーションを特定する。アプリケーション定義テーブルには、制御用データとアプリケーション名とが組になって格納されている。例えば、「<画像／カメラ起動>」の制御用データに対し、そのアプリケーションであるカメラ撮影プログラム１２３が定義されており、「現在位置／ＧＰＳ」の制御用データに対し、そのアプリケーションであるＧＰＳ測位プログラム１２４が定義されている。
【００６８】
表示データ取得手段１７は、制御用データが「<画像／カメラ起動>」であるか否かを判定し、すなわち、確定候補の制御用データから特定したアプリケーションがカメラ撮影プログラム１２３であるか否かを判定する（ステップＳ７）。
【００６９】
表示データ取得手段１７は、ステップＳ７において、制御用データが「<画像／カメラ起動>」であると判定した場合、すなわち、確定候補の制御用データから特定したアプリケーションがカメラ撮影プログラム１２３であると判定した場合（ステップＳ７：Ｙ）、起動アプリケーション管理テーブルを参照してカメラ撮影プログラム１２３が起動中でないことを判定し、カメラ撮影プログラム１２３を起動し、カメラ撮影ＡＰ部１３にユーザによるカメラ撮影を行わせる（ステップＳ８）。そして、表示データ取得手段１７は、ユーザにより撮影された画像を結果としてカメラ撮影ＡＰ部１３から入力し（ステップＳ９）、テキスト文書作成手段１８は、その画像をテキスト文書内の所定のカーソル位置に組み込む（ステップＳ１０）。そして、ステップＳ１４へ移行する。
【００７０】
一方、表示データ取得手段１７は、ステップＳ７において、制御用データが「<画像／カメラ起動>」でないと判定した場合、すなわち、確定候補の制御用データから特定したアプリケーションがカメラ撮影プログラム１２３でないと判定した場合（ステップＳ７：Ｎ）、制御用データが「<現在位置／ＧＰＳ>」であるか否かを判定し、すなわち、確定候補の制御用データから特定したアプリケーションがＧＰＳ測位プログラム１２４であるか否かを判定する（ステップＳ１１）。
【００７１】
表示データ取得手段１７は、ステップＳ１１において、制御用データが「<現在位置／ＧＰＳ>」であると判定した場合、すなわち、確定候補の制御用データから特定したアプリケーションがＧＰＳ測位プログラム１２４であると判定した場合（ステップＳ１１：Ｙ）、起動アプリケーション管理テーブルを参照してＧＰＳ測位プログラム１２４が起動中であることを判定し、既に起動しているＧＰＳ測位プログラム１２４によって取得された位置情報を位置情報記憶部１５から読み出す（ステップＳ１２）。そして、テキスト文書作成手段１８は、その位置情報を住所に変換する等して、ユーザが所在している位置に関する情報をテキスト文書内の所定のカーソル位置に組み込む（ステップＳ１３）。そして、ステップＳ１４へ移行する。
【００７２】
一方、表示データ取得手段１７は、ステップＳ１１において、制御用データが「<現在位置／ＧＰＳ>」でないと判定した場合、すなわち、確定候補の制御用データから特定したアプリケーションがＧＰＳ測位プログラム１２４でないと判定した場合（ステップＳ１１：Ｎ）、ステップＳ７及びステップＳ１１のように制御用データの判定処理を行って、制御用データに応じたアプリケーションを起動して結果を取得し、または、起動しているアプリケーションの結果を取得し、ステップＳ１４へ移行する。
【００７３】
テキスト文書作成手段１８は、ユーザのキー操作に従って、テキスト文書の作成終了であるか否かを判定し（ステップＳ１４）、作成終了でないと判定した場合（ステップＳ１４：Ｎ）、ステップＳ１へ移行して次の文字データ入力の処理を行う。一方、作成終了であると判定した場合（ステップＳ１４：Ｙ）、かな漢字変換部１１による処理を終了する。
【００７４】
以上のように、実施例１，２の携帯端末１によれば、アプリケーションの起動結果をテキスト文書に組み込むためには、アプリケーションを起動して結果を取得するための制御用データ、または、起動しているアプリケーションの結果を取得するための制御用データを日本語辞書ＤＢ１２６に予め設定しておけばよい。これにより、ユーザは、かな漢字変換の操作を行いながら、所望のアプリケーションを起動することができ、その起動結果をテキスト文書に容易に組み込むことができる。
【００７５】
以上、実施例を挙げて本発明を説明したが、本発明は前記実施例に限定されるものではなく、その技術思想を逸脱しない範囲で種々変形可能である。例えば、前記実施例１，２では、制御用データは、半角の「<」、アプリケーションを識別するためのデータ、及び半角の「>」により構成するようにしたが、本発明は、制御用データの構成を限定するものではなく、「<」「>」以外の記号を用いるようにしてもよい。要するに、制御用データの構成及び制御用データに用いられる記号等は、表示用データと区別することができ、制御用データを判定することができればよい。
【００７６】
また、実施例２では、ＧＰＳ測位プログラム１２４により取得された位置情報を住所に変換し、その住所をテキスト文書に組み込むようにしたが、その住所を含む所定サイズの地図を、記憶装置１０３に格納された地図ＤＢから取得し、取得した地図と共に、その住所を示す地図上のマークをテキスト文書に組み込むようにしてもよい。
【００７７】
また、実施例１ではカメラ撮影の例を示し、実施例２ではＧＰＳ測位の例を示したが、本発明では、他のアプリケーションの例として、歩数計機能を実行するアプリケーションにより、歩数、歩行距離、歩行時間、消費カロリー等のデータを取得しテキスト文書に組み込むようにしてもよい。また、録音機能を実行するアプリケーションにより、音声情報を取得しテキスト文書に組み込むようにしてもよい。また、方位機能を実行するアプリケーションにより、ユーザが進行している方位のデータを取得しテキスト文書に組み込むようにしてもよいし、スケジュール管理機能を実行するアプリケーションにより、ユーザのスケジュールを取得しテキスト文書に組み込むようにしてもよい。このように、携帯端末１に付加された機器等を用いて、所定の機能を実行しデータを取得するアプリケーションであれば何でもよい。
【符号の説明】
【００７８】
１  携帯端末
１１  かな漢字変換部
１２  ＨＴＭＬ変換部
１３  カメラ撮影ＡＰ部
１４  ＧＰＳ測位ＡＰ部
１５  位置情報記憶部
１６  かな漢字変換手段
１７  表示データ取得手段
１８  テキスト文書作成手段
１０１  ＣＰＵ
１０２  記憶部
１０３  記憶装置
１０４  通信部
１０５  カメラ撮影部
１０６  ＧＰＳ測位部
１０７  キー操作部
１０８  表示部
１０９  電源部
１１０  システムバス
１２０  携帯ＯＳ
１２１  かな漢字変換プログラム
１２２  ＨＴＭＬ変換プログラム
１２３  カメラ撮影プログラム
１２４  ＧＰＳ測位プログラム
１２６  日本語辞書ＤＢ
１２７  画像ＤＢ
１３０  制御部
【図１】
2011180795.tif 000003
【図２】
2011180795.tif 000004
【図３】
2011180795.tif 000005
【図４】
2011180795.tif 000006
【図５】
2011180795.tif 000007
【図６】
2011180795.tif 000008
【図７】
2011180795.tif 000009